(57)【要約】      （修正有）【課題】公衆交換電話網（ＰＳＴＮ）とインターネットを整合するための音声通信システムの提供。【解決手段】音声通信システム１００は、オペレーションシステムとインターネット通信プログラムを実行してインターネットの通信を実現するためのホスト１１０、該ホストに接続されてインターネットの通信と公衆交換電話網（ＰＳＴＮ）の通信を整合するのに用いられる通信整合制御装置１３０、該通信整合制御装置に接続されて、該通信整合制御装置を通してインターネット電話或いは公衆交換電話網（ＰＳＴＮ）の電話にダイアルするか或いはダイアルされる電話機１５０を包含する。【選択図】図１
2008054318.tif 000002
【特許請求の範囲】
【請求項１】
音声通信システムにおいて、
ハイパスフィルタであって、電話機に接続されて、低周波の呼出し信号を濾過して除去して第１差動信号を生成する、上記ハイパスフィルタと、
サブスクライバーラインインタフェース回路であって、第１制御信号と参考電圧に基づき、第２差動信号を電話信号規格に符合する第３差動信号に変換する、上記サブスクライバーラインインタフェース回路と、
検出器であって、公衆交換電話網の状態を検出して検出信号を生成する、上記検出器と、
切り換え器であって、一端が該電話機と該ハイパスフィルタに接続され、もう一端が該第３差動信号を受信し、並びに第２制御信号に基づきインターネット電話回線と該公衆交換電話網の間の切り換えを行う、上記切り換え器と、
オーディオコーデックであって、該第１差動信号と該検出信号を受信し、電話信号規格と該検出信号の状態に基づき該第２差動信号、該第１制御信号と該第２制御信号を生成し、そのうち、該オーディオコーデックはコンピュータマザーボード上に設けられる、上記オーディオコーデックと、
を包含したことを特徴とする、音声通信システム。
【請求項２】
請求項１記載の音声通信システムにおいて、該オーディオコーデックは少なくとも、
アナログ・デジタル変換器であって、該検出信号が該電話機の受話器が持ち上げられていることを表示する時、該第１差動信号を受信して第１デジタル信号に変換する、上記アナログ・デジタル変換器と、
制御ユニットであって、該電話信号規格、該検出信号と該インターネット電話回線に基づき、該第１デジタル信号を分析し、ネットワーク通話を実行するか或いは作業モード変換を行うか或いはシミュレート電話信号を発生し、対応する第２デジタル信号、該第１制御信号と該第２制御信号を生成する、上記制御ユニットと、
デジタル・アナログ変換器であって、該第２デジタル信号を受信して、該第２差動信号に変換した後に出力する、上記デジタル・アナログ変換器と、
を包含することを特徴とする、音声通信システム。
【請求項３】
請求項２記載の音声通信システムにおいて、該シミュレート電話信号はスタンバイ信号、呼出し信号、ダイアル信号及びビジー信号を包含することを特徴とする、音声通信システム。
【請求項４】
請求項２記載の音声通信システムにおいて、該作業モード変換は、該インターネット電話回線と該公衆交換電話網回線間の切り換え、及び、電話キーボードによりＶｏＩＰ（ｖｏｉｃｅ  ｏｖｅｒ  ｉｎｔｅｒｎｅｔ  ｐｒｏｔｏｃｏｌ）に符合するソフトウエアインタフェースをリモートコントロールする機能のオンオフを包含することを特徴とする、音声通信システム。
【請求項５】
請求項２記載の音声通信システムにおいて、該制御ユニットはソフトウエア或いはハードウエア方式で実施されることを特徴とする、音声通信システム。
【請求項６】
請求項１記載の音声通信システムにおいて、該サブスクライバーラインインタフェース回路は、
直流・直流変換器であって、該参考電圧準位を異なる直流電圧準位に変換する、上記直流・直流変換器と、
コントローラであって、該第１制御信号とこれらの直流電圧に基づき、受信した該第２差動信号を電話信号規格に符合する該第３差動信号に変換する、上記コントローラと、
を包含することを特徴とする、音声通信システム。
【請求項７】
請求項６記載の音声通信システムにおいて、該コントローラは、サブスクライバーラインインタフェース回路コントローラであることを特徴とする、音声通信システム。
【請求項８】
請求項１記載の音声通信システムにおいて、該公衆交換電話網の状態は呼出し状態状態、オンフック状態及びオフフック状態を包含することを特徴とする、音声通信システム。
【請求項９】
請求項１記載の音声通信システムにおいて、該電話信号規格はＤＴＭＦ電話信号規格であることを特徴とする、音声通信システム。
【請求項１０】
請求項１記載の音声通信システムにおいて、該電話機はコンピュータが未オンラインの時、該公衆交換電話網に接続されていることを特徴とする、音声通信システム。
【請求項１１】
請求項１記載の音声通信システムにおいて、該オーディオコーデックはサウスブリッジチップに接続されていることを特徴とする、音声通信システム。
【請求項１２】
公衆交換電話網の通信とインターネットの通信を整合するのに用いられる音声通信システムにおいて、該音声通信システムは、
ホストであって、オペレーションシステムとインターネット通信プログラムを実行して該インターネットの通信を実現し、該ホストは、
データ処理を実行する、処理モジュールと、
該処理モジュールに接続されてデータのアクセスを提供する、保存モジュールと、
該処理モジュールと該インターネットに接続され、ネットワークパケットの伝送と受信を制御する、ネットワーク制御回路と、
該処理モジュールに接続されて、音声データの出力と受信を行う、音声回路と、
を包含する、上記ホストと、
制御装置であって、該ホストに接続され、該制御装置は、該音声回路に接続され、該音声回路の出力する音声データに基づき特定電圧準位を具備する信号を提供するインタフェース回路を包含する、上記制御回路と、
切り換え回路であって、該インタフェース回路、公衆交換電話網インタフェース及び電話機インタフェースに接続され、該音声回路の生成した切り換え信号に基づき、該電話機インタフェースを該インタフェース回路及び該公衆交換電話網インタフェースのいずれかに接続する、上記切り換え回路と、
を包含することを特徴とする、音声通信システム。
【請求項１３】
請求項１２記載の音声通信システムにおいて、該ホストはパーソナルコンピュータ及びポータブル電子装置のいずれかとされることを特徴とする、音声通信システム。
【請求項１４】
請求項１３記載の音声通信システムにおいて、該ポータブル電子装置は、ノートブック型コンピュータ、フラットパネルコンピュータ、携帯情報端末装置、及び携帯電話のいずれかとされることを特徴とする、音声通信システム。
【請求項１５】
請求項１２記載の音声通信システムにおいて、該処理モジュールは、
データを処理するためのプロセッサと、
該プロセッサ、該保存モジュール、該ネットワーク制御回路及び該音声回路に接続されたチップセットと、
を包含することを特徴とする、音声通信システム。
【請求項１６】
請求項１５記載の音声通信システムにおいて、該チップセットはノースブリッジチップとサウスブリッジチップを包含することを特徴とする、音声通信システム。
【請求項１７】
請求項１５記載の音声通信システムにおいて、該保存モジュール、該ネットワーク制御回路及び該音声回路は該チップセットに接続されたことを特徴とする、音声通信システム。
【請求項１８】
請求項１７記載の音声通信システムにおいて、該ネットワーク制御回路及び該音声回路及び該チップセットが一体に整合されたことを特徴とする、音声通信システム。
【請求項１９】
請求項１５記載の音声通信システムにおいて、該保存モジュールは非揮発性保存ユニット及び揮発性保存ユニットの少なくともそのうちの一つを包含することを特徴とする、音声通信システム。
【請求項２０】
請求項１２記載の音声通信システムにおいて、該インタフェース回路は第１電圧準位に基づき該特定電圧準位を具備する信号に対応する電圧準位を提供する電圧準位変換器を包含することを特徴とする、音声通信システム。
【請求項２１】
請求項２０記載の音声通信システムにおいて、該第１電圧準位は該ホストにより提供されることを特徴とする、音声通信システム。
【請求項２２】
請求項１２記載の音声通信システムにおいて、該電話機インタフェースは電話機に接続するため、該公衆交換電話網インタフェースは該公衆交換電話網に接続するために用いられることを特徴とする、音声通信システム。
【請求項２３】
請求項２２記載の音声通信システムにおいて、該電話機インタフェースと該公衆交換電話網インタフェースはいずれもＲＪ−１１ソケットを包含することを特徴とする、音声通信システム。
【請求項２４】
請求項２２記載の音声通信システムにおいて、該特定電圧準位を具備する信号に対応する電圧準位は該電話機が適用する電圧準位であることを特徴とする、音声通信システム。
【請求項２５】
請求項１２記載の音声通信システムにおいて、該特定電圧準位を具備する信号に対応する電圧準位は該音声回路が出力する音声データに対応する電圧準位とは異なることを特徴とする、音声通信システム。
【請求項２６】
請求項１２記載の音声通信システムにおいて、該ホストと該制御装置が一体に整合されたことを特徴とする、音声通信システム。
【請求項２７】
請求項１２記載の音声通信システムにおいて、該制御装置は該ホストに対して外付け装置であることを特徴とする、音声通信システム。
【請求項２８】
請求項１２記載の音声通信システムにおいて、該制御装置がさらに、
検出回路であって、該ホストと該公衆交換電話網インタフェースの間に接続されて、該公衆交換電話網の状態を検出して検出結果を該ホストに出力する、上記検出回路を包含することを特徴とする、音声通信システム。
【請求項２９】
請求項１２記載の音声通信システムにおいて、該制御装置がさらに、該音声回路及び該電話機インタフェースの間に接続されたフィルタを包含することを特徴とする、音声通信システム。
【請求項３０】
請求項２９記載の音声通信システムにおいて、該フィルタがハイパスフィルタであることを特徴とする、音声通信システム。
【請求項３１】
請求項１２記載の音声通信システムにおいて、該音声回路は、
アナログ・デジタル変換器であって、該電話機インタフェースに接続され、該電話機インタフェースの伝送する第１アナログ信号を第１デジタル信号に変換する、上記アナログ・デジタル変換器と、
制御ユニットであって、該アナログ・デジタル変換器及び該処理モジュールに接続され、該第１デジタル信号に基づき、第１デジタルデータを該処理モジュールに提供すると共に、該処理モジュールの出力する第２デジタルデータに基づき第２デジタル信号を生成する、上記制御ユニットと、
デジタル・アナログ変換器であって、該制御ユニット及び該インタフェース回路に接続され、該第２デジタル信号を第２アナログ信号に変換し、並びに該第２アナログ信号を該インタフェース回路に伝送し、該インタフェース回路が該第２アナログ信号に基づき、該特定電圧準位を具備する信号を提供する、上記デジタル・アナログ変換器と、
を包含することを特徴とする、音声通信システム。
【請求項３２】
請求項３１記載の音声通信システムにおいて、該第１デジタル信号がキーデータを包含するとき、該制御ユニットは、該第１デジタル信号に基づき該キーデータをデコードし、並びに該キーデータを包含する該第１デジタルデータを該処理モジュールに伝送することを特徴とする、音声通信システム。
【請求項３３】
請求項３２記載の音声通信システムにおいて、該制御ユニットはＤＴＭＦ信号規格を利用して第１デジタル信号に基づき該キーデータをデコードすることを特徴とする、音声通信システム。
【請求項３４】
請求項３１記載の音声通信システムにおいて、該第１デジタルデータがキーデータを包含するとき、該処理モジュールは該第１デジタルデタに基づき該キーデータをデコードすることを特徴とする、音声通信システム。
【請求項３５】
請求項１２記載の音声通信システムにおいて、該ホストは更にネットワークソケットを包含し、該ネットワーク制御回路は該ネットワークソケットを介して該インターネットに接続されることを特徴とする、音声通信システム。
【請求項３６】
公衆交換電話網の通信とインターネットの通信を整合させるための通信整合制御装置であって、該公衆交換電話網の通信は電話機を介して実現され、該インターネットの通信はホストによるオペレーションシステムの実行及びインターネット通信プログラムを通して実現され、該通信整合制御装置は、
インタフェース回路であって、該ホストに接続され、該ホストの出力する音声データに基づき特定電圧を具備する信号を提供する、上記インタフェース回路と、
切り換え回路であって、該インタフェース回路、公衆交換電話網インタフェース及び電話機インタフェースに接続され、並びに該ホストの生成する切り換え信号により該電話機インタフェースを該インタフェース回路及び該公衆交換電話網インタフェースのいずれかに接続する、上記切り換え回路と、
を包含することを特徴とする、通信整合制御装置。
【請求項３７】
請求項３６記載の通信整合制御装置において、該ホストはパーソナルコンピュータ及びポータブル電子装置のいずれかであることを特徴とする、通信整合制御装置。
【請求項３８】
請求項３７記載の通信整合制御装置において、該ポータブル電子装置は、ノートブック型コンピュータ、フラットパネルコンピュータ、携帯情報端末装置、及び携帯電話のいずれかであることを特徴とする、通信整合制御装置。
【請求項３９】
請求項３６記載の通信整合制御装置において、該ホストは、
データ処理を実行する、処理モジュールと、
該処理モジュールに接続されてデータのアクセスを提供する、保存モジュールと、
該処理モジュールと該インターネットに接続され、ネットワークパケットの伝送と受信を制御する、ネットワーク制御回路と、
該処理モジュールに接続されて、音声データの出力と受信を行う、音声回路と、
を包含することを特徴とする、通信整合制御装置。
【請求項４０】
請求項３９記載の通信整合制御装置において、該音声回路は、
アナログ・デジタル変換器であって、該電話機インタフェースに接続され、該電話機インタフェースの伝送する第１アナログ信号を第１デジタル信号に変換する、上記アナログ・デジタル変換器と、
制御ユニットであって、該アナログ・デジタル変換器及び該処理モジュールに接続され、該第１デジタル信号に基づき、第１デジタルデータを該処理モジュールに提供すると共に、該処理モジュールの出力する第２デジタルデータに基づき第２デジタル信号を生成する、上記制御ユニットと、
デジタル・アナログ変換器であって、該制御ユニット及び該インタフェース回路に接続され、該第２デジタル信号を第２アナログ信号に変換し、並びに該第２アナログ信号を該インタフェース回路に伝送し、該インタフェース回路が該第２アナログ信号に基づき、該特定電圧準位を具備する信号を提供する、上記デジタル・アナログ変換器と、
を包含することを特徴とする、通信整合制御装置。
【請求項４１】
請求項４０記載の通信整合制御装置において、該第１デジタル信号がキーデータを包含するとき、該制御ユニットは、該第１デジタル信号に基づき該キーデータをデコードし、並びに該キーデータを包含する該第１デジタルデータを該処理モジュールに伝送することを特徴とする、通信整合制御装置。
【請求項４２】
請求項４１記載の通信整合制御装置において、該制御ユニットはＤＴＭＦ信号規格を利用して第１デジタル信号に基づき該キーデータをデコードすることを特徴とする、通信整合制御装置。
【請求項４３】
請求項４０記載の通信整合制御装置において、該第１デジタルデータがキーデータを包含するとき、該処理モジュールは該第１デジタルデタに基づき該キーデータをデコードすることを特徴とする、通信整合制御装置。
【請求項４４】
請求項４０記載の音声通信システムにおいて、該ホストは更にネットワークソケットを包含し、該ネットワーク制御回路は該ネットワークソケットを介して該インターネットに接続されることを特徴とする、通信整合制御装置。
【請求項４５】
請求項３６記載の通信整合制御装置において、該インタフェース回路はサブスクライバーラインインタフェース回路であることを特徴とする、通信整合制御装置。
【請求項４６】
請求項３６記載の通信整合制御装置において、該インタフェース回路は第１電圧準位に基づき該特定電圧準位を具備する信号に対応する電圧準位を提供する電圧準位変換器を包含することを特徴とする、通信整合制御装置。
【請求項４７】
請求項４６記載の通信整合制御装置において、該第１電圧準位は該ホストにより提供されることを特徴とする、通信整合制御装置。
【請求項４８】
請求項３６記載の通信整合制御装置において、該電話機インタフェースは電話機に接続するため、該公衆交換電話網インタフェースは該公衆交換電話網に接続するために用いられることを特徴とする、通信整合制御装置。
【請求項４９】
請求項４８記載の通信整合制御装置において、該特定電圧準位を具備する信号に対応する電圧準位は該電話機が適用する電圧準位であることを特徴とする、通信整合制御装置。
【請求項５０】
請求項３９記載の通信整合制御装置において、該特定電圧準位を具備する信号に対応する電圧準位は該音声回路が出力する音声データに対応する電圧準位とは異なることを特徴とする、通信整合制御装置。
【請求項５１】
請求項３６記載の通信整合制御装置において、該電話機インタフェースと該公衆交換電話網インタフェースはいずれもＲＪ−１１ソケットを包含することを特徴とする、通信整合制御装置。
【請求項５２】
請求項３６記載の通信整合制御装置において、該ホストと該制御装置が一体に整合されたことを特徴とする、通信整合制御装置。
【請求項５３】
請求項３６記載の通信整合制御装置において、該制御装置は該ホストに対して外付け装置であることを特徴とする、通信整合制御装置。
【請求項５４】
請求項３６記載の通信整合制御装置において、該制御装置がさらに、
検出回路であって、該ホストと該公衆交換電話網インタフェースの間に接続されて、該公衆交換電話網の状態を検出して検出結果を該ホストに出力する、上記検出回路を包含することを特徴とする、通信整合制御装置。
【請求項５５】
請求項３６記載の通信整合制御装置において、該制御装置がさらに、該音声回路及び該電話機インタフェースの間に接続されたフィルタを包含することを特徴とする、通信整合制御装置。
【請求項５６】
請求項５５記載の通信整合制御装置において、該フィルタがハイパスフィルタであることを特徴とする、通信整合制御装置。
【発明の詳細な説明】
【技術分野】
【０００１】
本発明は音声通信システムに係り、特に、パーソナルコンピュータを利用して公衆交換電話網（ＰＳＴＮ）とインターネットを整合した音声通信システムに関する。
【０００２】
電話は大衆にとって非常に重要な通信工具であり、現在の電話には公衆交換電話網（ＰＳＴＮ）を利用する電話（以下、一般回線電話と称する）、及びＶｏＩＰ（ｖｏｉｃｅ
ｏｖｅｒ  ｉｎｔｅｒｎｅｔ  ｐｒｏｔｏｃｏｌ）に符合する電話（以下、ＩＰ電話と略称する）があるが、もし一般電話とＩＰ電話を整合させることができれば、電話使用の便利性をアップできる。
【発明の開示】
【発明が解決しようとする課題】
【０００３】
本発明の目的の一つは、一種の音声通信システムを提供して、上述の問題を解決することにある。
【０００４】
本発明の目的の一つは、一種の通信整合制御装置を提供して、公衆交換電話網（ＰＳＴＮ）の通信とインターネットの通信を整合するのに用いることにある。
【課題を解決するための手段】
【０００５】
請求項１の発明は、音声通信システムにおいて、
ハイパスフィルタであって、電話機に接続されて、低周波の呼出し信号を濾過して除去して第１差動信号を生成する、上記ハイパスフィルタと、
サブスクライバーラインインタフェース回路であって、第１制御信号と参考電圧に基づき、第２差動信号を電話信号規格に符合する第３差動信号に変換する、上記サブスクライバーラインインタフェース回路と、
検出器であって、公衆交換電話網の状態を検出して検出信号を生成する、上記検出器と、
切り換え器であって、一端が該電話機と該ハイパスフィルタに接続され、もう一端が該第３差動信号を受信し、並びに第２制御信号に基づきインターネット電話回線と該公衆交換電話網の間の切り換えを行う、上記切り換え器と、
オーディオコーデックであって、該第１差動信号と該検出信号を受信し、電話信号規格と該検出信号の状態に基づき該第２差動信号、該第１制御信号と該第２制御信号を生成し、そのうち、該オーディオコーデックはコンピュータマザーボード上に設けられる、上記オーディオコーデックと、
を包含したことを特徴とする、音声通信システムとしている。
請求項２の発明は、請求項１記載の音声通信システムにおいて、該オーディオコーデックは少なくとも、
アナログ・デジタル変換器であって、該検出信号が該電話機の受話器が持ち上げられていることを表示する時、該第１差動信号を受信して第１デジタル信号に変換する、上記アナログ・デジタル変換器と、
制御ユニットであって、該電話信号規格、該検出信号と該インターネット電話回線に基づき、該第１デジタル信号を分析し、ネットワーク通話を実行するか或いは作業モード変換を行うか或いはシミュレート電話信号を発生し、対応する第２デジタル信号、該第１制御信号と該第２制御信号を生成する、上記制御ユニットと、
デジタル・アナログ変換器であって、該第２デジタル信号を受信して、該第２差動信号に変換した後に出力する、上記デジタル・アナログ変換器と、
を包含することを特徴とする、音声通信システムとしている。
請求項３の発明は、請求項２記載の音声通信システムにおいて、該シミュレート電話信号はスタンバイ信号、呼出し信号、ダイアル信号及びビジー信号を包含することを特徴とする、音声通信システムとしている。
請求項４の発明は、請求項２記載の音声通信システムにおいて、該作業モード変換は、該インターネット電話回線と該公衆交換電話網回線間の切り換え、及び、電話キーボードによりＶｏＩＰ（ｖｏｉｃｅ  ｏｖｅｒ  ｉｎｔｅｒｎｅｔ  ｐｒｏｔｏｃｏｌ）に符合するソフトウエアインタフェースをリモートコントロールする機能のオンオフを包含することを特徴とする、音声通信システムとしている。
請求項５の発明は、請求項２記載の音声通信システムにおいて、該制御ユニットはソフトウエア或いはハードウエア方式で実施されることを特徴とする、音声通信システムとしている。
請求項６の発明は、請求項１記載の音声通信システムにおいて、該サブスクライバーラインインタフェース回路は、
直流・直流変換器であって、該参考電圧準位を異なる直流電圧準位に変換する、上記直流・直流変換器と、
コントローラであって、該第１制御信号とこれらの直流電圧に基づき、受信した該第２差動信号を電話信号規格に符合する該第３差動信号に変換する、上記コントローラと、
を包含することを特徴とする、音声通信システムとしている。
請求項７の発明は、請求項６記載の音声通信システムにおいて、該コントローラは、サブスクライバーラインインタフェース回路コントローラであることを特徴とする、音声通信システムとしている。
請求項８の発明は、請求項１記載の音声通信システムにおいて、該公衆交換電話網の状態は呼出し状態状態、オンフック状態及びオフフック状態を包含することを特徴とする、音声通信システムとしている。
請求項９の発明は、請求項１記載の音声通信システムにおいて、該電話信号規格はＤＴＭＦ電話信号規格であることを特徴とする、音声通信システムとしている。
請求項１０の発明は、請求項１記載の音声通信システムにおいて、該電話機はコンピュータが未オンラインの時、該公衆交換電話網に接続されていることを特徴とする、音声通信システムとしている。
請求項１１の発明は、請求項１記載の音声通信システムにおいて、該オーディオコーデックはサウスブリッジチップに接続されていることを特徴とする、音声通信システムとしている。
請求項１２の発明は、公衆交換電話網の通信とインターネットの通信を整合するのに用いられる音声通信システムにおいて、該音声通信システムは、
ホストであって、オペレーションシステムとインターネット通信プログラムを実行して該インターネットの通信を実現し、該ホストは、
データ処理を実行する、処理モジュールと、
該処理モジュールに接続されてデータのアクセスを提供する、保存モジュールと、
該処理モジュールと該インターネットに接続され、ネットワークパケットの伝送と受信を制御する、ネットワーク制御回路と、
該処理モジュールに接続されて、音声データの出力と受信を行う、音声回路と、
を包含する、上記ホストと、
制御装置であって、該ホストに接続され、該制御装置は、該音声回路に接続され、該音声回路の出力する音声データに基づき特定電圧準位を具備する信号を提供するインタフェース回路を包含する、上記制御回路と、
切り換え回路であって、該インタフェース回路、公衆交換電話網インタフェース及び電話機インタフェースに接続され、該音声回路の生成した切り換え信号に基づき、該電話機インタフェースを該インタフェース回路及び該公衆交換電話網インタフェースのいずれかに接続する、上記切り換え回路と、
を包含することを特徴とする、音声通信システムとしている。
請求項１３の発明は、請求項１２記載の音声通信システムにおいて、該ホストはパーソナルコンピュータ及びポータブル電子装置のいずれかとされることを特徴とする、音声通信システムとしている。
請求項１４の発明は、請求項１３記載の音声通信システムにおいて、該ポータブル電子装置は、ノートブック型コンピュータ、フラットパネルコンピュータ、携帯情報端末装置、及び携帯電話のいずれかとされることを特徴とする、音声通信システムとしている。
請求項１５の発明は、請求項１２記載の音声通信システムにおいて、該処理モジュールは、
データを処理するためのプロセッサと、
該プロセッサ、該保存モジュール、該ネットワーク制御回路及び該音声回路に接続されたチップセットと、
を包含することを特徴とする、音声通信システムとしている。
請求項１６の発明は、請求項１５記載の音声通信システムにおいて、該チップセットはノースブリッジチップとサウスブリッジチップを包含することを特徴とする、音声通信システムとしている。
請求項１７の発明は、請求項１５記載の音声通信システムにおいて、該保存モジュール、該ネットワーク制御回路及び該音声回路は該チップセットに接続されたことを特徴とする、音声通信システムとしている。
請求項１８の発明は、請求項１７記載の音声通信システムにおいて、該ネットワーク制御回路及び該音声回路及び該チップセットが一体に整合されたことを特徴とする、音声通信システムとしている。
請求項１９の発明は、請求項１５記載の音声通信システムにおいて、該保存モジュールは非揮発性保存ユニット及び揮発性保存ユニットの少なくともそのうちの一つを包含することを特徴とする、音声通信システムとしている。
請求項２０の発明は、請求項１２記載の音声通信システムにおいて、該インタフェース回路は第１電圧準位に基づき該特定電圧準位を具備する信号に対応する電圧準位を提供する電圧準位変換器を包含することを特徴とする、音声通信システムとしている。
請求項２１の発明は、請求項２０記載の音声通信システムにおいて、該第１電圧準位は該ホストにより提供されることを特徴とする、音声通信システムとしている。
請求項２２の発明は、請求項１２記載の音声通信システムにおいて、該電話機インタフェースは電話機に接続するため、該公衆交換電話網インタフェースは該公衆交換電話網に接続するために用いられることを特徴とする、音声通信システムとしている。
請求項２３の発明は、請求項２２記載の音声通信システムにおいて、該電話機インタフェースと該公衆交換電話網インタフェースはいずれもＲＪ−１１ソケットを包含することを特徴とする、音声通信システムとしている。
請求項２４の発明は、請求項２２記載の音声通信システムにおいて、該特定電圧準位を具備する信号に対応する電圧準位は該電話機が適用する電圧準位であることを特徴とする、音声通信システムとしている。
請求項２５の発明は、請求項１２記載の音声通信システムにおいて、該特定電圧準位を具備する信号に対応する電圧準位は該音声回路が出力する音声データに対応する電圧準位とは異なることを特徴とする、音声通信システムとしている。
請求項２６の発明は、請求項１２記載の音声通信システムにおいて、該ホストと該制御装置が一体に整合されたことを特徴とする、音声通信システムとしている。
請求項２７の発明は、請求項１２記載の音声通信システムにおいて、該制御装置は該ホストに対して外付け装置であることを特徴とする、音声通信システムとしている。
請求項２８の発明は、請求項１２記載の音声通信システムにおいて、該制御装置がさらに、
検出回路であって、該ホストと該公衆交換電話網インタフェースの間に接続されて、該公衆交換電話網の状態を検出して検出結果を該ホストに出力する、上記検出回路を包含することを特徴とする、音声通信システムとしている。
請求項２９の発明は、請求項１２記載の音声通信システムにおいて、該制御装置がさらに、該音声回路及び該電話機インタフェースの間に接続されたフィルタを包含することを特徴とする、音声通信システムとしている。
請求項３０の発明は、請求項２９記載の音声通信システムにおいて、該フィルタがハイパスフィルタであることを特徴とする、音声通信システムとしている。
請求項３１の発明は、請求項１２記載の音声通信システムにおいて、該音声回路は、
アナログ・デジタル変換器であって、該電話機インタフェースに接続され、該電話機インタフェースの伝送する第１アナログ信号を第１デジタル信号に変換する、上記アナログ・デジタル変換器と、
制御ユニットであって、該アナログ・デジタル変換器及び該処理モジュールに接続され、該第１デジタル信号に基づき、第１デジタルデータを該処理モジュールに提供すると共に、該処理モジュールの出力する第２デジタルデータに基づき第２デジタル信号を生成する、上記制御ユニットと、
デジタル・アナログ変換器であって、該制御ユニット及び該インタフェース回路に接続され、該第２デジタル信号を第２アナログ信号に変換し、並びに該第２アナログ信号を該インタフェース回路に伝送し、該インタフェース回路が該第２アナログ信号に基づき、該特定電圧準位を具備する信号を提供する、上記デジタル・アナログ変換器と、
を包含することを特徴とする、音声通信システムとしている。
請求項３２の発明は、請求項３１記載の音声通信システムにおいて、該第１デジタル信号がキーデータを包含するとき、該制御ユニットは、該第１デジタル信号に基づき該キーデータをデコードし、並びに該キーデータを包含する該第１デジタルデータを該処理モジュールに伝送することを特徴とする、音声通信システムとしている。
請求項３３の発明は、請求項３２記載の音声通信システムにおいて、該制御ユニットはＤＴＭＦ信号規格を利用して第１デジタル信号に基づき該キーデータをデコードすることを特徴とする、音声通信システムとしている。
請求項３４の発明は、請求項３１記載の音声通信システムにおいて、該第１デジタルデータがキーデータを包含するとき、該処理モジュールは該第１デジタルデタに基づき該キーデータをデコードすることを特徴とする、音声通信システムとしている。
請求項３５の発明は、請求項１２記載の音声通信システムにおいて、該ホストは更にネットワークソケットを包含し、該ネットワーク制御回路は該ネットワークソケットを介して該インターネットに接続されることを特徴とする、音声通信システムとしている。
請求項３６の発明は、公衆交換電話網の通信とインターネットの通信を整合させるための通信整合制御装置であって、該公衆交換電話網の通信は電話機を介して実現され、該インターネットの通信はホストによるオペレーションシステムの実行及びインターネット通信プログラムを通して実現され、該通信整合制御装置は、
インタフェース回路であって、該ホストに接続され、該ホストの出力する音声データに基づき特定電圧を具備する信号を提供する、上記インタフェース回路と、
切り換え回路であって、該インタフェース回路、公衆交換電話網インタフェース及び電話機インタフェースに接続され、並びに該ホストの生成する切り換え信号により該電話機インタフェースを該インタフェース回路及び該公衆交換電話網インタフェースのいずれかに接続する、上記切り換え回路と、
を包含することを特徴とする、通信整合制御装置としている。
請求項３７の発明は、請求項３６記載の通信整合制御装置において、該ホストはパーソナルコンピュータ及びポータブル電子装置のいずれかであることを特徴とする、通信整合制御装置としている。
請求項３８の発明は、請求項３７記載の通信整合制御装置において、該ポータブル電子装置は、ノートブック型コンピュータ、フラットパネルコンピュータ、携帯情報端末装置、及び携帯電話のいずれかであることを特徴とする、通信整合制御装置としている。
請求項３９の発明は、請求項３６記載の通信整合制御装置において、該ホストは、
データ処理を実行する、処理モジュールと、
該処理モジュールに接続されてデータのアクセスを提供する、保存モジュールと、
該処理モジュールと該インターネットに接続され、ネットワークパケットの伝送と受信を制御する、ネットワーク制御回路と、
該処理モジュールに接続されて、音声データの出力と受信を行う、音声回路と、
を包含することを特徴とする、通信整合制御装置としている。
請求項４０の発明は、請求項３９記載の通信整合制御装置において、該音声回路は、
アナログ・デジタル変換器であって、該電話機インタフェースに接続され、該電話機インタフェースの伝送する第１アナログ信号を第１デジタル信号に変換する、上記アナログ・デジタル変換器と、
制御ユニットであって、該アナログ・デジタル変換器及び該処理モジュールに接続され、該第１デジタル信号に基づき、第１デジタルデータを該処理モジュールに提供すると共に、該処理モジュールの出力する第２デジタルデータに基づき第２デジタル信号を生成する、上記制御ユニットと、
デジタル・アナログ変換器であって、該制御ユニット及び該インタフェース回路に接続され、該第２デジタル信号を第２アナログ信号に変換し、並びに該第２アナログ信号を該インタフェース回路に伝送し、該インタフェース回路が該第２アナログ信号に基づき、該特定電圧準位を具備する信号を提供する、上記デジタル・アナログ変換器と、
を包含することを特徴とする、通信整合制御装置としている。
請求項４１の発明は、請求項４０記載の通信整合制御装置において、該第１デジタル信号がキーデータを包含するとき、該制御ユニットは、該第１デジタル信号に基づき該キーデータをデコードし、並びに該キーデータを包含する該第１デジタルデータを該処理モジュールに伝送することを特徴とする、通信整合制御装置としている。
請求項４２の発明は、請求項４１記載の通信整合制御装置において、該制御ユニットはＤＴＭＦ信号規格を利用して第１デジタル信号に基づき該キーデータをデコードすることを特徴とする、通信整合制御装置としている。
請求項４３の発明は、請求項４０記載の通信整合制御装置において、該第１デジタルデータがキーデータを包含するとき、該処理モジュールは該第１デジタルデタに基づき該キーデータをデコードすることを特徴とする、通信整合制御装置としている。
請求項４４の発明は、請求項４０記載の音声通信システムにおいて、該ホストは更にネットワークソケットを包含し、該ネットワーク制御回路は該ネットワークソケットを介して該インターネットに接続されることを特徴とする、通信整合制御装置としている。
請求項４５の発明は、請求項３６記載の通信整合制御装置において、該インタフェース回路はサブスクライバーラインインタフェース回路であることを特徴とする、通信整合制御装置としている。
請求項４６の発明は、請求項３６記載の通信整合制御装置において、該インタフェース回路は第１電圧準位に基づき該特定電圧準位を具備する信号に対応する電圧準位を提供する電圧準位変換器を包含することを特徴とする、通信整合制御装置としている。
請求項４７の発明は、請求項４６記載の通信整合制御装置において、該第１電圧準位は該ホストにより提供されることを特徴とする、通信整合制御装置としている。
請求項４８の発明は、請求項３６記載の通信整合制御装置において、該電話機インタフェースは電話機に接続するため、該公衆交換電話網インタフェースは該公衆交換電話網に接続するために用いられることを特徴とする、通信整合制御装置としている。
請求項４９の発明は、請求項４８記載の通信整合制御装置において、該特定電圧準位を具備する信号に対応する電圧準位は該電話機が適用する電圧準位であることを特徴とする、通信整合制御装置としている。
請求項５０の発明は、請求項３９記載の通信整合制御装置において、該特定電圧準位を具備する信号に対応する電圧準位は該音声回路が出力する音声データに対応する電圧準位とは異なることを特徴とする、通信整合制御装置としている。
請求項５１の発明は、請求項３６記載の通信整合制御装置において、該電話機インタフェースと該公衆交換電話網インタフェースはいずれもＲＪ−１１ソケットを包含することを特徴とする、通信整合制御装置としている。
請求項５２の発明は、請求項３６記載の通信整合制御装置において、該ホストと該制御装置が一体に整合されたことを特徴とする、通信整合制御装置としている。
請求項５３の発明は、請求項３６記載の通信整合制御装置において、該制御装置は該ホストに対して外付け装置であることを特徴とする、通信整合制御装置としている。
請求項５４の発明は、請求項３６記載の通信整合制御装置において、該制御装置がさらに、
検出回路であって、該ホストと該公衆交換電話網インタフェースの間に接続されて、該公衆交換電話網の状態を検出して検出結果を該ホストに出力する、上記検出回路を包含することを特徴とする、通信整合制御装置としている。
請求項５５の発明は、請求項３６記載の通信整合制御装置において、該制御装置がさらに、該音声回路及び該電話機インタフェースの間に接続されたフィルタを包含することを特徴とする、通信整合制御装置としている。
請求項５６の発明は、請求項５５記載の通信整合制御装置において、該フィルタがハイパスフィルタであることを特徴とする、通信整合制御装置としている。
【発明の効果】
【０００６】
本発明は公衆交換電話網（ＰＳＴＮ）とインターネットを整合するための音声通信システムを提供し、それは、コンピュータ、制御装置及び電話機を包含する。本発明は公衆交換電話網とインターネットの両者の長所を融合してそれぞれの不足を補う。
【発明を実施するための最良の形態】
【０００７】
本発明の音声通信システムのある実施例は、オペレーションシステムとインターネット通信プログラムを実行してインターネットの通信を実現するためのホスト、該コンピュータに接続されてインターネットの通信と公衆交換電話網（ＰＳＴＮ）の通信を整合するのに用いられる通信整合制御装置、該通信整合制御装置に接続されて、該通信整合制御装置を通してインターネット電話或いは公衆交換電話網（ＰＳＴＮ）の電話にダイアルするか或いはダイアルされる電話機を包含する。
【０００８】
該ホストの実施例は、データ処理を実行するための処理モジュール、該処理モジュールに接続されてデータのアクセスを提供する保存モジュール、該処理モジュール及び該インターネットに接続されてネットワークパケットの伝送と受信を制御するためのネットワーク制御回路、該処理モジュールに接続されて音声データの出力と受信を実行するための音声回路を包含する。
【０００９】
該通信整合制御装置の実施例は、該ホストに接続されて、該ホストの出力する音声データに基づき特定電圧準位の信号を提供するためのインタフェース回路、該インタフェース回路、公衆交換電話網インタフェース及び電話機インタフェースに接続するのに用いられ、並びに該ホストが生成する切り換え信号に基づき、該電話機インタフェースを該インタフェース回路及び該公衆交換電話網インタフェースのいずれかに接続する切り換え回路、該ホスト及び該公衆交換電話網インタフェースの間に接続されて、該公衆交換電話網インタフェースの状態を検出し、検出結果をホストに出力する検出回路、及び該音声回路と該電話機インタフェースの間に接続されたフィルタ、を包含する。
【実施例１】
【００１０】
図１は本発明の音声通信システムの第１実施例の構造表示図である。図１に示されるように、本発明の音声通信システム１００は、インターネットの通信を実現するのに用いられ、デスクトップ型コンピュータ、ノートブック型コンピュータ、フラットパネルコンピュータ、携帯情報端末機、携帯電話等とされうるホスト１１０、インターネットの通信及び公衆交換電話網（ＰＳＴＮ）の通信を整合するのに用いられ、ホスト１１０中に内蔵されるか或いはホスト１１０の外付け装置とされる通信整合制御装置１３０、及び該通信整合制御装置１３０に接続され該通信整合制御装置１３０を通してインターネット電話或いは公衆交換電話網（ＰＳＴＮ）の電話にダイアルするか或いはダイアルされる電話機１５０を包含する。
【００１１】
図１を参照されたい。該ホスト１１０はデータ処理を実行するための処理モジュール１１２を包含し、該処理モジュール１１２はプロセッサとチップセット（図示せず）（ノースブリッジチップ及びサウスブリッジチップを包含する（図２のサウスブリッジチップ２１０の如し））、該プロセッサ及びチップセットの実施は本技術領域の者であれば周知であるので、ここでは詳しい説明は省略する。該ホスト１１０はさらに該処理モジュール１１２に接続されてデータのアクセスを提供する保存モジュール１１４を具え、本実施例では、該保存モジュール１１４は非揮発性保存ユニット（例えばハードディスク）及び揮発性保存ユニット（例えばＤＲＡＭ）（図示せず）を包含する。該保存モジュール１１４の実施もまた本技術領域の者の周知のところであるので、詳しい説明は省略する。該ホスト１１０は該処理モジュール１１２及び該インターネットに接続されてネットワークパケットの伝送と受信を制御するのに用いられるネットワーク制御回路１１８を包含し、該ネットワーク制御回路１１８は独立（ｓｔａｎｄ  ａｌｏｎｇ）のネットワークインタフェースカード（ｎｅｔｗｏｒｋ  ｉｎｔｅｒｆａｃｅ  ｃａｒｄ）とされるか、或いは該処理モジュール１１２のチップセット中に整合されたネットワークチップとされ、且つ該ネットワーク制御回路１１８は本技術領域の者の周知のところであるため、これについても詳しい説明は省略する。及び該ホスト１１０はオーディオコーデック（ａｕｄｉｏ  ｃｏｄｅｃ）１１６を包含し、それは該処理モジュール１１２に接続されて、音声データの出力と受信を実行し、該オーディオコーデック１１６は独立したオーディオカードとされるか、該チップセット中に整合されたオーディオチップとされうる。本実施例中では、保存モジュール１１４、ネットワーク制御回路１１８、オーディオコーデック１１６は処理モジュールのチップセットに接続され、且つネットワーク制御回路１１８及びオーディオコーデック１１６は該チップセット中に接合されている。さらに、ホスト１１０にさらにネットワークソケット（例えばＲＪ−４５ソケット）（図示せず）が設置され、ネットワーク制御回路１１８は該ネットワークソケットを介してインターネットの回路に接続される。
【００１２】
図２は第１実施例の部分構造の詳細な表示図である。図２に示されるように、本実施例の通信整合制御装置１３０は該電話機１５０が伝送する低周波信号を濾過して第１差動信号を生成するハイパスフィルタ２６０、オーディオコーデック１１６の出力した第１制御信号及び第２差動信号に基づき特定電圧準位を具えた第３差動信号を提供するサブスクライバーラインインタフェース回路（Ｓｕｂｓｃｒｉｂｅｒ  Ｌｉｎｅ  Ｉｎｔｅｒｆａｃｅ  Ｃｉｒｃｕｉｔ；ＳＬＩＣ）２３０、公衆交換電話網２８０の状態を検出するための検出器２５０、オーディオコーデック１１６の出力する第２制御信号に基づき該電話機１５０をコンピュータを介してインターネットに接続するか、電話機１５０を公衆交換電話網（ＰＳＴＮ）２８０に接続する切り換え器２４０、それぞれ該電話機１５０及び該公衆交換電話網２８０に接続される二つのＲＪ−１１のソケット２８１、２８２。
【００１３】
図２を参照されたい。コンピュータの二つのＲＪ−１１のソケット２８１、２８２はそれぞれ電話機１５０と公衆交換電話網２８０に接続され、ハイパスフィルタ２６０はソケット２８１と切り換え器２４０の間の電話線（ＴｉｐとＲｉｎｇの２本のラインを包含する）に接続されて、低周波の呼出し信号を除去し、並びに第１差動信号を生成する。検出器２５０は公衆交換電話網２８０の状態を検出し、例えば公衆交換電話網２８０の電圧変化を検出し、これにより検出信号を生成する。一般の公衆交換電話網２８０の状態には三種類あり、オンフック（ｏｎ−ｈｏｏｋ）、オフフック（ｏｆｆ−ｈｏｏｋ）、及び呼出し（ｒｉｎｇ）である。公衆交換電話網２８０上の電圧も、状態の違いにより変化し、公衆交換電話網２８０の状態及びその変化は本技術領域の者には通常の知識であるため、詳しい説明は省略する。切り換え器２４０の一端は電話機１５０とハイパスフィルタ２６０に接続され、その一端は第３差動信号を受信し、第３端は公衆交換電話網２８０に接続され、並びに該第２制御信号に基づき電話機１５０をコンピュータを通してインターネットの回線或いは公衆交換電話網２８０に接続する。
【００１４】
続けて図２を参照されたい。本実施例中、サウスブリッジチップ２１０とオーディオコーデック１１６はマザーボード（例えばコンピュータマザーボード）上に設置され、オーディオコーデック１１６中のアナログ・デジタル変換器２２１が該第１差動信号を受け取り第１デジタル信号に変換する。一般的には、第１デジタル信号は音声データ及び又はキーデータとされる。音声データに対しては、本実施例の制御ユニット２２３（例えばＤＳＰ、ＭＰＵ或いはロジック回路等）は高精細オーディオ（ｈｉｇｈ  ｄｅｆｉｎｉｔｉｏｎ  ａｕｄｉｏ）インタフェースを通して音声データをサウスブリッジチップ２１０に伝送し、さらにホスト１１０のファームウエアにより該音声データを処理し、例えば、インターネットの回線を通して該音声データを遠端装置に伝送する必要がある時、ホスト１１０はその搭載しているＶｏＩＰに符合するソフトウエアプログラム（例えばＳＫＹＰＥ）により、該音声データを処理し並びにインターネットの回線を通じて該遠端装置に伝送できる。ホスト１１０が遠端装置がインターネットの回線を通して送った音声データを受信する時、該ＶｏＩＰに符合するソフトウエアプログラムにより該音声データを処理し、さらにそれをサウスブリッジチップ２１０、高精細オーディオインタフェースを通してオーディオコーデック１１６に伝送し、第２デジタル信号を生成する。その後、デジタル・アナログ変換器２２２が該第２デジタル信号を変換してアナログの第２差動信号とした後にサブスクライバーラインインタフェース回路（Ｓｕｂｓｃｒｉｂｅｒ  Ｌｉｎｅ  Ｉｎｔｅｒｆａｃｅ  Ｃｉｒｃｕｉｔ；ＳＬＩＣ）２３０に出力し、同時に、制御ユニット２２３もＧＰＩＯ２を通して第１制御信号を出力してサブスクライバーラインインタフェース回路２３０を制御し、それに第２差動信号に基づき第３差動信号を生成させる。
【００１５】
以上を受けて、コンピュータマザーボードと電話機の作業電圧は通常同じでなく、また即ちコンピュータマザーボードの伝送する信号に対応する電圧準位は電話機の伝送する信号に対応する電圧順位と同じでない。コンピュータマザーボードの作業電圧は約３〜５Ｖであり、電話機の作業電圧（或いは電話信号規格）は約−５Ｖ〜−５０Ｖである。このためサブスクライバーラインインタフェース回路２３０は異なる作業電圧間の変換を処理する。本実施例ではサブスクライバーラインインタフェース回路２３０はマザーボードの提供する参考電圧Ｖrefを変換して異なる直流電圧準位となし、このイネーブルの第１制御信号を受信した後に、該第２差動信号を電話信号規格に符合する第３差動信号に変換し、続いて、切り換え器２４０が受信した該第３差動信号を、ソケット２８１を通して電話機１５０に伝送する。
【００１６】
また、第１デジタル信号が電話機１５０のキーデータを包含する時、制御ユニット２２３はＤＴＭＦ電話信号規格に基づき、第１デジタル信号をデコードしてキーデータとなす。該キーデータを使用者がダイアルする番号となすとき、制御ユニット２２３は該ダイアルされた番号をホスト１１０に伝送し、ホスト１１０はさらにネットワーク電話処理プログラム（例えばＳＫＹＰＥソフトウエア）を利用してこのダイアルされた電話番号を処理する。このほか、制御ユニット２２３はそのシミュレートするスタンバイ音、キー音、呼出し音或いはビジー音をデジタル・アナログ変換器２２２、サブスクライバーラインインタフェース回路２３０、切り換え器２４０とソケット２８１を通して電話機１５０に送る。さらに、上述のキーデータが設定データに符合する時、例えば、該キーデータが「＃＃」とされる時、使用者が受話器上のキーでインターネット電話処理プログラムを制御するのを許可し、例えば、キーボード上の数字キー「２」、「８」、「４」、「６」、「５或いは＃」を利用してインターネット電話プログラム操作インタフェース中のカーソルの方向即ち「↑」、「↓」、「←」、「→」、及び「ｅｎｔｅｒ」を操作する。該キーデータが設定データに符合する時、例えば該キーデータが「＊＊」のとき、制御ユニット２２３はＧＰＩＯ３を通して、第２制御信号を出力して切り換え器２４０を制御し、これによりインターネット電話回線と公衆交換電話網回線間の切り換えを行い、即ち、切り換え器２４０を制御して電話機１５０を公衆交換電話網２８０或いはサブスクライバーラインインタフェース回路２３０に接続する。
【００１７】
図３はサブスクライバーラインインタフェース回路の更に詳細な構造図である。上述したように、サブスクライバーラインインタフェース回路２３０はコンピュータマザーボードと電話機の間の異なる作業電圧の変換を処理する。図３に示されるように、サブスクライバーラインインタフェース回路２３０はサブスクライバーラインインタフェース回路コントローラ３３１及び直流・直流変換器３３２を包含する。直流・直流変換器３３２は参考電圧Ｖref 準位を変換して異なる直流電圧準位ＶBAT となし、それは公衆交換電話網の二つの信号Ｔｉｐ、Ｒｉｎｇの直流バイアス準位を生成するのに用いられ、該直流バイアス準位は約−５Ｖ〜−５０Ｖとされる。本実施例では、Ｖref は約１２Ｖ、ＶBAT は約−９０Ｖである。オーディオコーデック１１６は第１制御信号を通してサブスクライバーラインインタフェース回路コントローラ３３１を制御し、第１制御信号がイネーブルである時、サブスクライバーラインインタフェース回路コントローラ３３１は直流・直流変換器３３２の提供する直流電圧準位ＶBAT を利用し、受信した第２差動信号を変換して電話信号規格に符合する信号となす。
【００１８】
図１及び図２を参照されたい。本発明の第１実施例では、オーディオコーデック１１６は第１差動信号に対して分析処理を行わず、それは第１差動信号が包含するデータをサウスブリッジチップ２１０を通してホスト１１０のファームウエアに伝送することにより分析処理する。例えば、該ホスト１１０は少なくとも一つの予めロードされたプログラム（例えばＶｏＩＰに符合するソフトウエアプログラム、及びＤＴＭＦ電話信号規格に基づき分析を行えるソフトウエアプログラム）により該第１差動信号の包含するデータを分析し、もし分析結果が該第１差動信号が包含するデータが遠端装置に伝送される音声データであることを表示すれば、ホスト１１０は該第１差動信号の包含するデータをサウスブリッジチップ２１０、ネットワーク制御回路１１８及びインターネットの回線を通して該遠端装置に伝送する。また、もし分析結果が該第１差動信号が包含するデータがキーデータであることを表示すれば、ホスト１１０は該キーデータによりインターネット電話にダイアルするか、或いは信号を該通信整合制御装置１３０に伝送する。
【００１９】
図４は本発明の音声通信方法のフローチャートである。以下に図１、図２及び図４を参照して本発明の音声通信整合方法を説明する。
【００２０】
ステップＳ４１０：ホスト１１０が既にインターネットに接続されているかを判断し、接続済みで且つ公衆交換電話網の待機状態が既に設定時間に達している時は、電話機１５０とインターネットを接続し、その後、ステップＳ４２０を実行する。ホスト１１０がインターネットに未接続であればステップＳ４５０を実行する。注意されたいことは、本発明のある実施例中では、ステップＳ４１０はまた、その他の設定条件により電話機１５０とインターネットの接続、非接続を決定する。
【００２１】
ステップＳ４２０：現在の公衆交換電話網２８０回線の状態がなんであるかを検出器２５０の生成した検出信号により判断し、電話機１５０がオフフック状態であればステップＳ４３０を実行し、公衆交換電話網２８０に呼出しがあれば、ステップＳ４４０を実行する。もし両者がいずれもノーで、且つホスト１１０とインターネット間が接続を保持していれば、重複してステップＳ４２０を実行する。本実施例中、ステップＳ４２０はまたホスト１１０とインターネットとの間の接続が切断されているか否かを判断するステップを包含し、もしホスト１１０とインターネットの接続が切断されていれば、ステップＳ４１０を実行する。
【００２２】
ステップＳ４３０：キー分析と通話を実行し、その後、ステップＳ４２０に戻る。
【００２３】
ステップＳ４４０：電話機１５０がオンフック状態（待機状態：受話器は置かれた状態）の時、制御ユニット２２３は呼出し音を具えた第２デジタル信号を生成し、デジタル・アナログ変換器２２２がさらに該第２デジタル信号をアナログの第２差動信号に変換し、その後、サブスクライバーラインインタフェース回路２３０を用いて、該第２差動信号を電話信号規格に変換し、最後に切り換え器２４０を通して電話機１５０に呼出し音を発生させる。電話機１５０が使用中の時、即ちオフフック状態（受話器が置かれた状態）の時、ステップＳ４４０では、制御ユニット２２３が通知音を具備する第２デジタル信号を生成し、デジタル・アナログ変換器２２２が該第２デジタル信号をアナログの第２差動信号に変換し、その後、サブスクライバーラインインタフェース回路２３０を用いて該第２差動信号を電話信号形式に変換し、最後に切り換え器２４０を通して電話機１５０の受話器（スピーカ）に該通知音を発生させる。その後、ステップＳ４２０に戻る。
【００２４】
ステップＳ４５０：ホスト１１０が未オンラインの時、電話機１５０と公衆交換電話網２８０に接続を構築させるか接続を維持させ、並びにステップＳ４１０に戻る。本ステップ中、電話機１５０と公衆交換電話網２８０の接続を構築したい時は、制御ユニット２２３を利用して第２制御信号をインバートした後、ＧＰＩＯ３を通して切り換え器２４０に出力し、これにより電話機１５０と公衆交換電話網２８０の接続を制御する。
【００２５】
図５は図４中のキー分析と通話の方法ステップのフローチャートである。以下図１、２、図４及び図５を参照してキー分析と通話ステップＳ４３０について説明する。
【００２６】
ステップＳ４３１：アナログ・デジタル変換器２２１がアナログの第１差動信号を第１デジタル信号に変換し、制御ユニット２２３が電話信号規格に基づき、第１デジタル信号中をデコーし並びにそのなかにどのようなデータが含まれるかを分析し、もし第１設定データに符合し、例えば「＃＃」ならば、ステップＳ４３２を実行し、もし第２設定データに符合し、例えば「＊＊」ならば、ステップＳ４５０を実行し、このような状況は通常は使用者が公衆交換電話網２８０に呼出しがあることを知った後、公衆交換電話網２８０に切り換えて電話を受ける時に発生する。もし以上の二種類の状況のいずれでもなければ、ステップＳ４３３を実行する。本発明のある実施例では、ステップＳ４３１に更に多くの判断条件が増加され、並びに第１デジタル信号がある一つの判断条件に符合する時、対応する動作を実行する。
【００２７】
ステップＳ４３２：第１デジタル信号中に含まれるデータが「＃＃」の時、使用者受話器上のキーによりインターネット電話プログラム操作インタフェースを操作しようとしていることを示し、例えば、使用者がキーボード上の数字キー「２」、「８」、「４」、「６」、「５或いは＃」を利用してインターネット電話プログラム操作インタフェース中のカーソルの方向「↑」、「↓」、「←」、「→」、及び「ｅｎｔｅｒ」を操作する。続いて、制御ユニット２２３が続いて使用者が入力する上述の数字キーが代表する方向を、サウスブリッジチップ２１０を通してホスト１１０に伝送し、ホスト１１０が更にインターネット電話プログラムにより使用者が入力したデータを処理し、その後、ステップＳ４３３を実行する。
【００２８】
ステップＳ４３３：第１デジタル信号中に包含されるキーデータが電話番号の時、該電話番号をサウスブリッジチップ２１０を通してホスト１１０に伝送し、ホスト１１０が更にインターネット電話プログラムを利用してインターネット対公衆交換電話網（例えばＳＫＹＰＥ  ＯＵＴ）モードでダイアルする。第１デジタル信号中に包含されるデータがインターネット電話ユーザーの時、該データをサウスブリッジチップ２１０を通してホスト１１０に送り、ホスト１１０が更にインターネット電話プログラムを利用してインターネット対インターネットモード（即ちポイント対ポイントモード）で該インターネット電話ユーザーにダイアルする。このほか、通話開始の後、第１デジタル信号中に包含されるのが音声データの時、ホスト１１０を通してインターネット電話プログラムを利用し音声データをインターネットの回線上に伝送する。インターネット回線の受信した音声データはホスト１１０を通してインターネット電話プログラムを利用し、音声データが通信整合制御装置１３０を介して電話機１５０に送られる。注意されたいことは、本ステップの分析及び又は通話終了後、ステップＳ４２０が実行されることである。
【００２９】
以上の図４及び図５はわずかに本発明の一部の実施態様を代表するだけであり、本発明の精神から分離せずに各ステップを変更可能であり、或いはその他のステップと併せて実施可能である。
【図面の簡単な説明】
【００３０】
【図１】本発明の音声通信システムの第１実施例の構造表示図である。
【図２】本発明の第１実施例の部分構造の詳細な構造図である。
【図３】本発明のサブスクライバーラインインタフェース回路の詳細な構造図である。
【図４】本発明の音声通信方法のフローチャートである。
【図５】図４中のキー分析と通話ステップのフローチャートである。
【符号の説明】
【００３１】
１００  音声通信システム          １１０  ホスト
１１２  処理モジュール            １１４  保存モジュール
１１６  オーディオコーデック      １１８  ネットワーク制御回路
１３０  通信整合制御装置          １５０  電話機
２１０  サウスブリッジチップ      ２２１  アナログ・デジタル変換器
２２２  デジタル・アナログ変換器  ２２３  制御ユニット
２３０  サブスクライバーラインインタフェース回路
２４０  切り換え器
２５０  検出器                    ２６０  ハイパスフィルタ
２８０  公衆交換電話網            ２８１、２８２  ソケット
３３１  サブスクライバーラインインタフェース回路コントローラ
３３２  直流・直流変換器
【図１】
2008054318.tif 000003
【図２】
2008054318.tif 000004
【図３】
2008054318.tif 000005
【図４】
2008054318.tif 000006
【図５】
2008054318.tif 000007